Podtech/llm-jp-corpus-v4-ja_patent huggingface dataset:
(57)【要約】【課題】従来型浴槽入浴時  身体背面、隆起部  背もたれ隆起部に接体に於いて  隆起部背もたれの  熱伝導  熱伝達発生により  体温の熱損失発生  これ等要因と成り不快感が発生するこの不快感を解消してリラクセーションする事を目的とする。【解決手段】  浴槽（１）隆起部（２）の背もたれ隆起部に  温湯間を持たせる突起部（１１）を設け（１２）身体背と突起部の間の温湯（１２）を設ける。浴槽（１））隆起部（２）の背もたれ隆起部の外、裏側に温湯槽の外パネル（４）を設け  その中間に  温湯槽（８）を設ける。【選択図】図１
2008264439.tif 000002
【特許請求の範囲】
【請求項１】
浴槽（１）周囲の隆起部（２）の１面（１１）背もたれ隆起部に温湯間を持たせるため  突起させ（１２）身体背と突出隆起部パネルとの間に温湯１２を設ける  快適温湯浴槽。
【請求項２】
（１）浴槽  周囲  （２）隆起部パネルの外へ（４）二重隆起部パネルを施し  其の間に（８）温湯槽を設ける  快適温湯浴槽。
【発明の詳細な説明】
【技術分野】
【０００１】この発明は  入浴中体温低下を防ぎ  体感による快感を要するリラックセーションを施す快適温湯浴槽に関するものである。
【背景技術】
【０００２】従来の浴槽は  底あり  其の周辺  四方  隆起部のパネルに依り形成  此の壱面が傾斜を持つ背もたれパネル  上部に平らなフランジーに依り形成され  浴槽外周  熱損失を防ぐ為  発砲ウレタン系材質断熱材で覆われ現在に至る迄  元来此の構造で形成され  現在９０％以上の視野を占めている。機種の中では給湯機ジエット噴射式のものもあるこの噴射に依り  体の垢で濁る  これを防ぐ為  室外にろ過装置と殺菌薬剤投入機を設置する機械が有るが  この機種は１ケ月から半年は水の取替え不用と宣伝されているしかし  湯は奇麗になるが悪臭が増大する等と  とり正されている  薬品を挿入するが回数が増す事により薬品が濃厚となり  高齢者にとっては最悪の条件となる  水を頻繁に取り替えれば良い  しかし高齢者に取っては薬品の挿入フエルタの取替え等  記憶的にも  不適欠くで  有る  高齢者の浴槽には向かない  現在  高齢化社会に至り  温湯４０度以下の温度に長めに入浴する様指導されている現在  最大の課題となって来た  従来型の浴槽  入浴実行に当たり、リラックス入浴中、身体の背面と  背もたれ隆起部パネル、これ等一体型と成り熱伝導体温熱損失伝達と成り  体が冷え込む、その結果非常に気分が優れなく  不快感を  感じる  湯上りの状態に於いても不快感が解消されない。これ等を解消する為  此の発明の考案するに至った。
【発明の開示】
【発明が解決しょうとする開示】
【０００３】従来型浴槽は  浴槽の周囲が断熱材で施されているが  浴槽  隆起部の熱保有が無いため  熱伝導伝達の熱損失を防ぎ切れない  背もたれ隆起部に身体密着の状態に於いて体の体温  熱損失が増大する。その結果入浴中の背面体感温度の低下防ぐ為の考案するに至った  従来の浴槽に入浴中  浴槽の角へ背もたれ隆起部から体を横へずらす事により  角と  背面の間に温湯が施される  この状態で入浴する事より体温熱損失か無く大変な快適快感が要られた  湯上り状態に於いても湯冷め無く快適快感で  この事からヒントが発生した
【課題を解決するための手段】
【０００４】（イ）身体背面と  背もたれ隆起部の間に  温湯を施す為  背もたれ隆起部の背面を突出させ  背面と背もたれ隆起部の間に温湯を設ける。この状態で入浴実行する事により体温熱損出を無くす。
（ロ）背もたれ隆起部の外に空間を施す為  其の外に二重隆起部を設ける。この中間に温湯槽を施し温湯を流入させ背もたれ隆起部からの熱伝道伝達による体温熱損失を無くす。
【実施例】
【０００５】以下  本発明の実施例を図面に基づいて説明をする
図１は使用状態の浴槽斜視図である。図２は背もたれ隆起部  温湯面の断面図である。図３給湯管  循環金具浴槽内断面図である。  図４は浴槽側面及び  温湯槽の断面図で  ある。図５は平面図である。【０００６】１図は（１）は浴槽で（２）は浴槽の周囲４面の立ち上がり隆起部パネルで覆われている。
（３）隆起部パネル上部平らなフランジーで覆われている  隆起部パネル４面の１面（５）を背もたれ隆起部を設ける。【０００７】２図（５）背もたれ隆起部に（１１）温湯を設ける為の外への突起部を設け１２）身体と突起部の間に温湯を設ける。【０００８】３図は浴槽に於いて（１５）より給湯される循環金具の断面図で有る。【０００９】４図は（１０）温湯流入口の化粧ガラリより給湯される、給湯槽  排湯する場合温湯槽に残湯しないよう温湯槽中間部を上へ（１３）盛り上げる、（１４）浴槽排湯口（１５）給湯口（１６）浴槽本体足
【発明の効果】
【００１０】（イ）浴槽背もたれ隆起部パネルの背面の突出に於いて  背もたれ隆起部パネルの接触面が少ない為  熱損出が無く背面に温湯が保たれ入浴中リラックス気分で血行も良く快適さが高まる
ロ）浴槽背もたれ隆起部パネルの外に二重隆起部パネルを設け  其の中間に温湯を施して有る為  脊もたれ隆起部パネルが両面の温湯と同温に成る、浴槽材質の表面の肌ざわり良い滑らかさの感触より  リラックス気分が更にたかまり血行も良くなる。
【図面の簡単な説明】
【００１１】
【図１】  本発明の使用状態の  浴槽斜視図である。
【図２】  本発明の断面背もたれ図である。
【図３】  本発明の断面循環金具図である。
【図４】  本発明の断面背面温湯間、温湯槽である。
【図５】  本発明の平面図である。
【符号の説明】
【００１２】１    浴槽
２    隆起部
３    フランジー
４    温湯槽の外パネル
５    浴槽と温湯槽の中間  背もたれ隆起パネル
６    温湯槽の掃除口
７    温湯槽の掃除口蓋
８    温湯槽
９    温湯流入口
１０  温湯流入口の化粧ガラリ蓋
１１  背もたれ隆起パネルに  温湯間を持たせる突起部
１２  身体背と突起部の間の  温湯
１３  温湯槽排水  残水止め中間隆起部
１４  浴槽排水口
１５  給湯循環口
１６  浴槽足
【図１】
2008264439.tif 000003
【図２】
2008264439.tif 000004
【図３】
2008264439.tif 000005
【図４】
2008264439.tif 000006
【図５】
2008264439.tif 000007
(57)【要約】【課題】  郵便受け口から挿入された郵便書状、新聞等を確実に保守する。【解決手段】  篭の底部４と開閉板１に取り付けた、バネ付き蝶番３と保守曲がり６により、受け口より入る郵便物、新聞等は厚くても、長くても、硬くても保守する。【選択図】図１
2008264476.tif 000002
【特許請求の範囲】
【請求項１】
格子状のコ字型本体（２）の下端に底部（４）を設けてバネ付き蝶番（３）を取り付け、開閉板（１）を開閉可能に之に接合合体させ、以上の如く構成した開閉型郵便受け篭。
【発明の詳細な説明】
【技術分野】
【０００１】  この発明は郵便物、新聞等の受け口Ａより入る物体が突き当たれば開閉板は開き、長くても、厚くても、硬くても完全に中で受け止めることの出来る装置のある郵便受け篭に関する物である。
【背景技術】
【０００２】  従来の郵便受け箱は種々出揃っていたが、開閉板を有するものは見聞きしていない。
【発明の開示】
【発明が解決しようとする課題】
【０００３】  これは次のような欠点があつた。
（イ）入りきらず、雨の日には濡れた。
（ロ）悪戯で持ち去られた事もある。
（ハ）床に落ちて濡れる、それで別な箱を置く所もあった。本発明は、これらの欠点を除くためになされたものである。
【課題を解決するための手段】
【０００４】  本発明は本体が直方体型でコ字型本体（２）であり、その底部（４）にバネ付き蝶番（３）によって接続されたる開閉板を持って構成された郵便受け篭である。
【発明の効果】
【０００５】  本発明は以上の様な構造なので郵便物、新聞、チラシ等、長くても、厚くても、硬くて郵便受け口より入るものは皆保守される。
【発明を実施するための最良の形態】
【０００６】  以下本発明の実施の形態について説明する。
（イ）鉄線格子状板の両端及び下端を同方向に曲げて、コ字型本体（２）を設ける。
（ロ）本体（２）の底部（４）にバネ付き蝶番取り付け補強鉄板（５）を接合する。
（ハ）鉄線格子状の開閉板（１）を設け、その一端にバネ付き蝶番取り付け補強鉄板（５）を接合する。
（二）双方のバネ付き蝶番取り付け補強版（５）（５）をバネ付き蝶番（３）にて開閉可能に取り付ける。
（ホ）孔を開けた小板体による本体取り付け調節金具（７）を、コ字型本体（２）の上部に設ける。
（ヘ）開閉板の両側に、郵便物落下防止の為の突出折曲部（６）を設ける。
本発明は以上のような構成なので、挿入された郵便物等を安全に保守することができ、従来にない利点を有する郵便受け篭を提供することが出来る。
【図面の簡単な説明】
【０００７】
【図１】  本発明の使用状態斜視図
【図２】  本発明の側面図
【図３】  本発明の要部説明図
【符号の説明】
【０００８】  １  開閉板
２  コ字型本体
３  バネ付き蝶番
４  篭底部
５  バネ付き蝶番取り付け補強版
６  突出折曲部
７  本体取り付け調節金具
Ａ  郵便受け口
Ｂ  郵便受け口裏蓋
【図１】
2008264476.tif 000003
【図２】
2008264476.tif 000004
【図３】
2008264476.tif 000005
(57)【要約】【課題】組み立てを容易にした折りたたみ式コップ立てを提供する。【解決手段】対向する面が等しい４角形の筒体（１）を可撓性の薄板にて横長状に形成し、天板部（２）に長手方向と平行な折り目（７）を設け、その折り目（７）と筒体（１）のすべての稜角部（６）を折り曲げ自在し、ついで、底板部（３）の上面の中央に、長手方向と直交させた所定形状の仕切り板（８）を起倒自在に取り付け、天板部（２）に複数のコップ挿入口（９）を開けてなる折りたたみ式コップ立て。【選択図】図１
2008264471.tif 000002
【特許請求の範囲】
【請求項１】
対向する面が等しい４角形の筒体を可撓性の薄板にて横長状に形成し、天板部に長手方向と平行な折り目を設け、その折り目と筒体のすべての稜角部を折り曲げ自在にし、ついで、底板部の上面の中央に、長手方向と直交させた所定形状の仕切り板を起倒自在に取り付け、天板部に複数のコップ挿入口を開けてなる折りたたみ式コップ立て。
【発明の詳細な説明】
【技術分野】
【０００１】  本発明は、組み立てを容易にした折りたたみ式コップ立てに関するものである。
【背景技術】
【０００２】  従来からの折りたたみ式コップ立てに、組み立てると四角形の箱型となるものがあったが、このコップ立てを組み立てるには、扁平に折りたたまれた本体を所定形状の４角筒に復し、ついで、左右に伸展している側面部を基部から直角に折り曲げて本体の左右の開口部を塞ぐと共に、更に、その先端部分を内方へ折り曲げて本体の内部に挿入していた。
【発明の開示】
【発明が解決しようとする課題】
【０００３】  そのために次のような問題点があった。
（イ）組み立てには、折り曲げ等の箇所が多いため手間がかかっていた。
（ロ）組み立ては細かい手作業であるから、手袋の着用者や手指の不自由な障害者にはやりにくかった。
本発明は、以上の問題点を解決するためのものである。
【課題を解決するための手段】
【０００４】  対向する面が等しい４角形の筒体を可撓性の薄板にて横長状に形成し、天板部に長手方向と平行な折り目を設け、その折り目と筒体のすべての稜角部を折り曲げ自在にする。ついで、底板部の上面の中央に、長手方向と直交させた所定形状の仕切り板を起倒自在に取り付け、天板部に複数のコップ挿入口を開ける。
本発明は以上の構成からなる折りたたみ式コップ立てである。
【発明の効果】
【０００５】  本発明は、仕切り板を起立させるだけで組み立てが可能であるから、手間がかからず、誰でも容易に組み立てられる。また、組み立てると、平板状の天板部が折り目から山折り状となって下方へ湾曲しにくいため、天板部に開けたコップ挿入口の変形が防止されて、立てたコップを確実に保持することができる。
【発明を実施するための最良の形態】
【０００６】  以下、本発明の実施の形態を説明する。
（イ）対向する面が等しい４角形の筒体（１）を薄い紙板にて横長状に形成する。
（ロ）天板部（２）の中央に長手方向と平行な折り目（７）を設けて、その折り目（７）と筒体（１）のすべての稜角部（６）を折り曲げ自在にする。
（ハ）筒体（１）の開口部より横幅を小にした薄板を上方へ延長して、上部が山形をした５角形の仕切り板（８）を形成する。
（ニ）底板部（３）の上面の中央に、長手方向と直交させて仕切り板（８）を起倒自在に取り付ける。
（ホ）天板部（２）に、使用時のコップが接触しない間隔にて、２個のコップ挿入口（９）を開ける。
本発明は、以上の構成よりなっている。
本発明を組み立てて使用するには、底板部（３）の上面に取り付けた仕切り板（８）を起立させる。その仕切り板（８）の起立に伴い天板部（２）は内部から押し上げられ、それと連動して折り目（７）とすべての稜角部（６）が適宜角度に折れ曲るため、４角形の筒体（１）は上部が山形をした５角形となってコップ立てに組み立てられる。コップ立ては起立した仕切り板（８）によって形状が保持されるので、コップ挿入口（９）にコップを挿し入れて使用する。
そして、組み立てたコップ立てを折りたたむには、起立している仕切り板（８）を倒して底板部（３）に重ねると共に、山形をした天板部（２）を平板状にする。ついで、前板部（４）、及び後板部（５）を後方に倒すと全体が扁平な形状に折りたたまれる。再び組み立てるには、倒している仕切り板（８）を起立させるだけでよい。
【図面の簡単な説明】
【０００７】
【図１】本発明の使用状態を示す斜視図
【図２】本発明の折りたたみ状態を示す斜視図
【符号の説明】
【０００８】    １  筒体
２  天板部
３  底板部
４  前板部
５  後板部
６  稜角部
７  折り目
８  仕切り板
９  コップ挿入口
【図１】
2008264471.tif 000003
【図２】
2008264471.tif 000004
(57)【要約】【課題】衣類へハンガーを挿入する際に、襟周りよりハンガーの腕部分が長いため襟周りを伸ばしてしまう難点があった。【解決手段】１支柱内に２スライド機構を設け、さらに７バネを内装することにより片手でハンガーの３腕部分を折り畳める構造とする。これにより衣類の襟周りを伸ばすことなく、ハンガーを衣類へ挿入できる様にした。【選択図】図１
2008264477.tif 000002
【特許請求の範囲】
【請求項１】
衣類を通す際の衣類襟周りの伸びを防止する機能を追加したハンガー。支柱内に収められたスライド機構、バネ等により片手にてハンガーの腕部分を開閉可能とした折り畳み機構付きハンガー。
【発明の詳細な説明】
【技術分野】
【０００１】  本発明は、衣類にハンガーを挿入する際の衣類襟周りの伸びを防止するために、ハンガーの腕部分に折り畳み機能を持たせ、衣類襟周りを引っ張ることなくハンガーを挿入できる様にしたものである。
【背景技術】
【０００２】  従来は、襟周りの伸びを防止することを目的とした折り畳み可能なハンガーにおいても摺動部分が支柱内面に収められ片手で折りたためるものはなかった。一般的な折り畳み式ハンガーは出張時等を想定した運搬性向上または衣類吊り下げ時のスペース低減を目的としており、衣類挿入時に、襟周りを引っ張らずに挿入できる実用的なものはなかった。【０００３】
【特許文献１】特許公開平９−５１８４２
【発明の開示】
【発明が解決しようとする課題】
【０００４】  衣類を干すことを目的として使用されるハンガーは肩幅が広く、衣類襟周りよりサイズが大きい。そのため、衣類の襟周りを引っ張り伸ばすことによりハンガーを挿入しなければならない。この際に衣類の襟周りを伸ばしてしまうという難点があった。
【課題を解決するための手段】
【０００５】  ハンガーに１支柱を取り付け、１支柱内に２スライド機構を設けた。この２スライド機構に３腕部分を連結させた。さらに、１支柱下端と４梁を５回転機構アで、４梁と３腕部分を６回転機構イにより各々連結させた。これにより、３腕部分が、折り畳める機構とした。また、１支柱内部に７バネを内装することにより片手で３腕部分を折り畳むことができ、手を離すと７バネの引っ張り力により３腕部分が開くようにした。
【発明の効果】
【０００６】  ２スライド機構と７バネを１支柱内に収めることにより、衣類へハンガーを通す際、片手で３腕部分が折り畳める様になった。これにより、無理に襟周りを引っ張ることなくハンガーを挿入することができ、襟周りが伸びてしまう心配がなくなった。しかも３腕部分を片手で折り畳み衣類を取り外す際には、衣類の自重を利用することにより少ない労力にてハンガーから衣類を取り外すことが可能である。さらに折り畳みロック機構を設ければ、出張時等の携帯性も向上する。
【発明を実施するための最良の形態】
【０００７】
【実施例１】
【０００８】
【産業上の利用可能性】
【０００９】  一般家庭における衣類を干す際の作業性向上および出張時等の遠隔地への運搬性向上。
【図面の簡単な説明】
【００１０】
【図１】本発明の正面図である。
【図２】本発明のＡ−Ａ断面図である。
【図３】本発明の折り畳み時の正面図である。
【図４】本発明の折り畳み時のＢ−Ｂ断面図である。
【符号の説明】
【００１１】  １  支柱  ２  スライド機構  ３  腕  ４  梁  ５  回転機構ア  ６  回転機構イ  ７  バネ
【図１】
2008264477.tif 000003
【図２】
2008264477.tif 000004
【図３】
2008264477.tif 000005
【図４】
2008264477.tif 000006
(57)【要約】【課題】  不特定多数の人が出入りする百貨店、駅などのゴミ箱は、往々にしてタバコを投げ捨てられ、ゴミ箱の中の紙類などが燃え出す場合があり、施設関係者にとり心配の種である。これを解決するための消火器を作成する。【解決手段】  箱状の容器に、消火用強化液の入ったビニール製等の袋３を円状の穴のあいた中仕切板４の上にのせる。この箱の底部は鋭利な針状突起物のついたバイメタル板５がある。これをゴミ箱の蓋の裏に、マジックバンド１で取り付ける。火災時には、バイメタルのそりで、針状突起物が中仕切板の円状の穴から突き出し、消火用強化液の入った袋が破られ、強化液が漏れ出し、消火する。火災時以外にバイメタルが上部に動かぬよう、網目状保護板６を取り付ける。消火用強化液ビニール製等の袋を入替えることにより再利用できる消火装置である。使い捨てとするには、５のバイメタル板以外は合成樹脂製としてもよい。【選択図】図２
2008264464.tif 000002
【特許請求の範囲】
【請求項１】
形状の基本は箱状の容器である。この容器の底部に鋭利な針状突起物を取り付けたバイメタル板があり、この上には円形の穴が数箇所あいた中仕切板を取り付ける。
この中仕切板の上に消火用強化液の入ったビニール製等の袋をのせる。
この箱の上部にはマジックバンドを取り付け、ゴミ箱の蓋の裏側に、これを取り付ける。
ゴミ箱の中身が何らかの火種で燃え出した時に、バイメタル板のそりで、針状突起物が中仕切板にあいている穴から突き出し、消火用強化液の入った袋を破り液が漏れ出し、火災を早期に消火するものである。
なお、バイメタルが目的以外で上部に動かないように、バイメタル板の下に、網目状の保護板を設ける。
【発明の詳細な説明】
【技術分野】
【０００１】本発明は消火用強化液を入れたビニール製等の袋と、これを載せる中仕切板のついた箱状容器からなる。この箱状容器は、底部を鋭利な針状突起物のついたバイメタル板、その上の中仕切板は数箇所円状の穴のあいた板で消火用強化液を入れたビニール製等の袋はこの板に載せる。この容器はゴミ箱の蓋の裏部分にマジックバンド等で取り付けるようにする。
ゴミ箱の収容物が何らかの火種で燃え出した時には、底部のバイメタルのそりで、鋭利な針状突起物が中仕切板の円状の穴から突き出て、消火用強化液の入ったビニール製等の袋を破り、消火用強化液が漏れ出し、火災を早期に消火するものである。
なお、バイメタルが目的以外で上部に動かないように、バイメタル板の下に網目状の保護板を設ける。
【背景技術】
【０００２】駅、百貨店、などに置かれているゴミ箱は、館内禁煙の施設が大多数のため、特に施設の入り口付近のゴミ箱や隠れ喫煙をしがちなトイレのゴミ箱には、タバコの投げ捨てがあり、中のゴミくずが燃え出すことが往々に発生する。
このような火災が発生すると、施設側に瑕疵がなくても施設の防火管理体制を消防署から厳しくチェックされることになり施設側の心配の種であるのが現実である。【０００３】このようにすれば、ゴミ箱からの火災を早期に消化することが可能で、消火用強化液の入った袋だけを交換すれば再使用が可能となる。【０００４】本発明は、箱状の容器に、消火用強化液の入ったビニール製等の袋をのせる円状の穴のあいた中仕切板をつける。箱の底部は鋭利な針状突起物のついたバイメタル板、さらにその底部にはバイメタルが目的以外に動くのを防ぐためバイメタルの保護および熱をさえぎらぬように網目状の板を設ける。
これらを包含する容器はゴミ箱の蓋の形態により、長方形、正方形としたもので、これをマジックバンドでゴミ箱の蓋の裏に取り付けるものである。
【発明の効果】
【０００５】このようにすれば、ゴミ箱からの火災を早期に自動消火することが可能で、消火用強化液の入った袋だけを交換すれば再使用も可能となる。
【発明を実施するための最良の形態】
【０００６】本発明は、箱状の容器に、消火用強化液の入ったビニール製等の袋をのせる円状の穴のあいた中仕切板をつける。箱の底部は鋭利な針状突起物のついたバイメタル板、さらにその底部にはバイメタルが目的以外に動くのを防ぐためバイメタルの保護および熱をさえぎらぬように網目状の板を設ける。
これらで構成される容器はゴミ箱の蓋の形により、長方形、正方形の箱型としたものであるが、ゴミ箱の蓋の形によっては、半円筒形の容器としても良い。
これをマジックバンドでゴミ箱の蓋の裏に取り付けるものである。
【図面の簡単な説明】
【０００７】
【図１】消火用強化液の入ったビニール製等の袋をのせる円状の穴のあいた中仕切板、針状突起物を取り付けた底部のバイメタル板を示す容器の俯瞰図である。
【図２】容器に消火用強化液の入ったビニール製等の袋を収納した断面図である。
【符号の説明】
【０００８】１  消火用強化液の入ったビニール製等の袋を入れる箱状の金属性容器の上部に取り付けたマジックバンドでゴミ箱の蓋の裏に取り付ける為のもの。
２  金属容器の上板。
３  消火用強化液の入ったビニール製等の袋。
４  バイメタルにつけられた鋭利な針状突起物が上部に突き出せるよう円状の穴のあいた中仕切板で消火用強化液の入ったビニール製等の袋をのせるもの。
５  鋭利な針状突起物をつけたバイメタル板。
６  火災時以外にバイメタルが上部に動き、消火用強化液の入ったビニール製等の袋を破らぬための網目状保護板。
【図１】
2008264464.tif 000003
【図２】
2008264464.tif 000004
(57)【要約】      （修正有）【課題】心臓が停止しても誰にも気付かれないで死亡する人が多数に上ぼる。【解決手段】頭や手首などの脈所に常時センサーを取り付け、心臓が停止して直後に自動的に照明が点滅して警告音を発して近隣の人に知らせると同時に予め受信機を設置し人名を登録してあるセキュリティシステムに自動的に発信し、直ちに救急車が急行して心臓マッサージや電気的ショックなどの手当てをして生還させる心臓停止時携帯自動発信機。【選択図】なし【特許請求の範囲】
【請求項１】
人体の脈所に常時接触させたセンサーが心臓の停止を感知して自動的に照明ランプが点滅し同時に警告音が鳴動し更にこのセンサーからセキュリティシステムに向って自動的に電波を発信し救急車の出動を依頼して救助する心臓停止時携帯自動発信機。
【発明の詳細な説明】
【発明の詳細な説明】
【０００１】  本発明は家族と共に就寝中又は一人暮しの人の心臓が停止した時、誰にも気付かれないまま死に至る場合が多いので、身に付けたセンサーの照明と警告音の鳴動によって近隣の人々に知らせると同時に自動的に電波を発信するセキュリティシステムである。
【０００２】  従来のセキュリティシステムは建物内部の機器にセンサーやカメラを取り付けて建物内部の状態を確認したり、建物内部の用具に取り付けたセンサーに発信して制御したり、又、人体、動物、自動車などにセンサーを取り付けて移動した位置を確認するもので、人間や動物の生理的な変化を自動的に発信するようなセキュリティシステムは皆無である。
【０００３】  人体の臓器の中でその活動が停止した場合、最も早く死に至るのは心臓であるが、その停止時点を近隣の人々やセキュリティシステムに知らせて応急手当てをすれば一命を取り止めることが可能である。本発明はこれを自動的に実施するシステムであり、即ち、例えば腕時計のバンドのように手首にセンサーを巻き付け、心臓の収縮によって生じる電流を誘導して電波に変換して発信し、その発信方法は１〜２秒前後の平常な脈拍間隔を打っているうちは電源がＯＦＦになっており、５〜１０秒以上の異常な脈拍間隔になった時点で電源がＯＮになるようにセットすることを特徴とする。
【０００４】  本発明は心臓が停止して誰も気付かなくても、頭や手首などの脈所に巻き付けたセンサーが照明ランプを点滅し警告音を鳴らして近隣の人に知らせ、それでも誰も気が付かなかったとしても自動的に電波を発信し、予め電波受信機を設備し人名を登録してあるセキュリティシステムが救急車を呼び心臓マッサージや電気的ショックを心臓に与えることによって多数の人を生還させることができる。
(57)【要約】【課題】食材の切断及び加工が簡単にスムーズに出来、切断した際、切断された食材が調理用包丁及びナイフの刃に癒着しにくく調理が上手に簡単に行える振動調理用包丁及びナイフを提供することを課題とする【解決手段】調理用包丁及びナイフの柄部に電動振動機を備え、稼動振動を刃全体に伝導させる事により調理用包丁及びナイフの刃と食材が癒着しにくくなり、抵抗が軽減されるために切断及び加工が簡単に行えることを可能とした事で解決される。【選択図】図１
2008264461.tif 000002
【特許請求の範囲】
【請求項１】
食材を切断及び加工する調理用包丁及びナイフに振動機能を備え、切断及び加工がより容易に行う事を可能とした振動調理用包丁及びナイフ。
【請求項２】
調理用包丁及びナイフの柄の部分に電池式又は充電バッテリー式又は電気式電動振動機を内臓し、稼動振動をなかご（柄の中に納まっている刃の根元部分）へ伝え調理用包丁及びナイフの刃全体が振動するように機能させた振動調理用包丁及びナイフ。
【請求項３】
前記調理用包丁及びナイフの柄部又は延長された付随部位に振動機能を係止、作動せしめるスイッチなどの装置を有し充電式バッテリー使用の場合は従来既存の充電方法にて充電が可能な請求項１、２に記載の振動調理用包丁及びナイフ
【請求項４】
調理用包丁及びナイフの刃全体を振動せしめ、食材の切断及び加工がより容易に行え、切断及び加工された素材が振動作用により刃と分離しやすく、刃と癒着する事を軽減させる事を可能とした請求項１，２，３に記載の振動調理用包丁及びナイフ。
【発明の詳細な説明】
【技術分野】
【０００１】本発明は、調理用包丁及びナイフに関し、特に振動機能を備えた振動調理用包丁及びナイフに関する。
【背景技術】
【０００２】調理用包丁及びナイフの形状、柄の形状は多種多様に存在するが振動機能装置装備ではない。【０００３】熟達した調理師は、目的に応じた種類の調理用包丁及びナイフを使い分け、刃先の手入れも出来ているので食材をスムーズにきれいに切断及び加工する技術を身につけている。【０００４】一般家庭や一般の人が食材を切断及び加工する時に使用する調理用包丁及びナイフは、目的に応じた種類の調理用包丁及びナイフを揃えるには限りがあり兼用して使用する事が殆どで、食材によっては硬く切れにくいものや、弾力があり切断加工が難しかったり、手こずる場合がある。
【発明の開示】
【発明が解決しようとする問題】
【０００５】本発明は、上記のような難点を補うため、食材の切断及び加工が簡単にスムーズに出来、切断した際、切断された食材が調理用包丁及びナイフの刃に癒着しにくく調理が上手に簡単に行える振動調理用包丁及びナイフを提供することを課題とする
【課題を解決するための手段】
【０００６】調理用包丁及びナイフの柄部に振動機を備え、稼動振動を刃全体に伝導させる事により、調理用包丁及びナイフの刃と食材が癒着しにくくなり、抵抗が軽減されるために切断及び加工が簡単に行えることを可能とした事で解決される。
【０００７】振動機能を備える事で、当該調理用包丁及びナイフにて切断及び加工する際に従来の人力が軽減される効果があり、稼動振動調理用包丁及びナイフで切断及び加工の際食材との摩擦が軽減されるため、切りにくかった食材がスムーズに切断可能になり、切断された食材が振動により分離されるため刃に付きにくくなるようになった。又この機能は、和調理用包丁及び、洋調理用包丁及びナイフ又万能調理用包丁、いずれにも装置が可能で、和調理用包丁は引き、洋調理用包丁及びナイフは押しの使用をするが、前述の効果は同じで、万能調理用包丁にいたっては、一般家庭でもっとも多く使用され、多種食材を切断及び加工する際、上記の効果により、多種食材を切断及び加工をする事が用意に行えるようになった。
【発明の効果】
【０００８】本発明による振動調理用包丁及びナイフの効果によれば、調理用包丁及びナイフの柄部で発生した振動は、なかごを通して刃全体に伝わり、この状態で調理用包丁及びナイフを使用する事で、従来の調理用包丁及びナイフより力を使うことなく食材の切断が容易に出来る為、調理用包丁及びナイフとまな板、調理台との衝撃を減少できる為、刃先のこぼれや磨耗が軽減され切れ味が長持ちする事を可能にした。
【０００９】当該調理用包丁及びナイフの刃全体が振動する効果は、振動する事で切断及び加工する際、食材と調理用包丁及びナイフの刃の接着面積が少なくなり、従って食材と刃の摩擦が少なく抵抗が軽減されるため強い力を使うことなく食材の切断を容易にし、食材が刃に付きにくくなることを可能とした。
【発明を実施するための最良の形態】
【００１０】以下、本発明にかかる振動調理用包丁及びナイフの好適な実施の形態を添付する図を参照しながら詳述する。図１は振動調理用包丁及びナイフの概略構成を示す図である。構成は、１の包丁本体刃、２は柄に収まっているなかご、３は柄を示し、４は振動機で５は振動機を作動および係止せしめる５の操作スイッチとからなる。図２の２はなかごで４の振動機より伝達された振動で包丁刃全体へその振動が伝わる状況で、６の包丁軸方向振動波及び図５の６−１の包丁軸直角方向振動波、及び７の包丁縦方向振動波の効果で図３のように包丁と食材は癒着しにくく、従って容易に切断加工が叶う状況を示している。図４はなかごと振動機の位置関係を示し、なかごと柄がしっかりした密着状態で固定された状態であれば、振動機はなかごと連結されていなくても包丁へ伝える振動効果は損なわれる事はなく、切断加工が容易に行える効果があることを示した図である。【００１１】図５は、包丁の刃先と包丁の壁の部分の振動効果で食材を切断加工が癒着することなく行えることを示したものである。８は加工食材、９は調理台、１０は包丁刃先で１１，１２は刃先の振動方向を示し、１３は刃先の動きであり無理なく食材を切断加工が容易に行えることを可能としたものである。
【図面の簡単な説明】
【００１２】
【図１】振動調理用包丁及びナイフの概略構成を示す図である
【図２】振動調理用包丁及びナイフ加振時の振動波の方向を示す図である
【図３】食材と振動調理用包丁及びナイフとの振動波の関係を示す図である
【図４】振動調理用包丁及びナイフの柄の部分の概略構成を示す図である
【図５】食材切断加工中の振動調理用包丁及びナイフ刃先の動きを示す図である
【符号の説明】
【００１３】  １    調理用包丁及びナイフ本体
２    なかご
３    柄
４    振動機
５    操作スイッチ
６    調理用包丁及びナイフ軸方向振動波
６−１調理用包丁及びナイフ軸直角方向振動波
７    調理用包丁及びナイフ縦方向振動波
８    加工食材
９    調理台
１０    調理用包丁及びナイフ刃先
１１    刃先の縦振動方向
１２    刃先の横振動方向
１３    刃先の動き
【図１】
2008264461.tif 000003
【図２】
2008264461.tif 000004
【図３】
2008264461.tif 000005
【図４】
2008264461.tif 000006
【図５】
2008264461.tif 000007
(57)【要約】      （修正有）【課題】箱形の大きな家具等に対し、地震の力を利用しての前後左右への転倒防止を図った用具は無かった。【解決手段】２枚の板２ａ、２ｂをＸ型に組んで対象１上部に置き、棒を通す為の穴３ａ、３ｂ、３ｃ、３ｄを空けて棒７ａ，７ｂ，７ｃ，７ｄを通す。通す棒は上部ほど太く下部ほど細くすることで、棒が下に抜け落ちない構造とする。対象１の扉を開閉する際に扉と干渉する前部２本の棒７ｂ、７ｃを上に取り外すことで、１の扉の開閉が可能とする。Ｘ型の交点部分に適度な大きさの穴を空け、４を構成するネジ、ワッシャ、ナットで仮固定したネジ４を締める。壁又は柱である８の１ヶ所にケーブル紐が付けられるように金属製フック６を付けＸ型の前面にあたる２ヶ所の棒７ｂ、７ｃにケーブル紐５ａ、５ｂを付け、壁８の固定したフック６に接続し２等辺三角形になるよう弛みを取り、取り付けることで転倒防止する。【選択図】図１
2008264465.tif 000002
【特許請求の範囲】
【請求項１】
角度調整自在のＸ型に組んだ板を使い、地震の力で転倒防止対象を締めて前後左右への転倒を防止する為のＸ型転倒防止用具。
【発明の詳細な説明】
【技術分野】
【０００１】本発明は地震に対する箱型置物に対する転倒防止を抑制するための道具に関する。
【背景技術】
【０００２】
【発明の開示】
【発明が解決しようとする課題】
【０００３】［大掛かりな道具を使わず地震の力を利用し、転倒防止対象を締め箱形の家具電化製品、ラック、仏壇仏具等の転倒防止を可能にする転倒防止器具を提供する］
【課題を解決するための手段】
【０００４】［箱形の置物１は、地震時に底部を支点に上部が振り子のように壁８の反対側に振られて傾き転倒限界点を超えた時、壁８と反対側に転倒する。
板２ａ、２ｂをＸ型に組み、固定ネジ４で仮固定し角度を変えられるようにし、対象１の上部指定位置に置き、Ｘ型の腕の先にあたる穴３ａ、３ｂ、３ｃ、３ｄに４本の棒７ａ、７ｂ、７ｃ、７ｄを通し、前部の２本即ち７ｂ、７ｃにケーブル紐５ａ、５ｂを取り付け、そのケーブル紐５ａ、５ｂを転倒防止用具と同じ高さ、又はやや低い高さの壁、又は柱８に固定されたフック６に接続し、弛みを取ることで転倒防止を図る。］
【発明の効果】
【０００５】［Ｘ型の転倒防止器具を付けることで、地震の力をも利用して箱型対象を挟み付け箱型の置物、例えば家具、電化製品、ラック、仏具等の前後左右方向への転倒を防ぎ、転倒による破損のみならず、人体への危害を抑える効果を得る］
【発明を実施するための最良の形態】
【０００６】［Ｘ型に組む転倒防止対象の横幅より短い適当な長さ、厚さの板２ａ，２ｂを計２枚、Ｘ型の交点で固定に使用する４を構成するナット、ワッシャ、ネジを１組、ケーブル紐５ａ、５ｂを計２本、
上部が下部よりやや太い適当な長さと太さの棒７ａ、７ｂ、７ｃ、７ｄを計４本、壁８又は柱８に取り付ける金属製フック６を１本用意する。
２枚の板２ａ、２ｂをＸ型に組み、Ｘ型の交点部分に適度な大きさの穴を空け４を構成するネジ、ワッシャ、ナットでＸ型を仮固定し対象１の上部指定位置に置く。
Ｘ型の先にある４個所に棒を通す為の穴３ａ、３ｂ、３ｃ、３ｄを空けて棒７ａ，７ｂ，７ｃ，７ｄを通す。
通す棒は上部ほど太く下部ほど細くすることで、棒が下に抜け落ちない構造とする。
転倒防止対象物１の扉を開閉する際、扉と干渉する前部２本の棒７ｂ、７ｃを上に取り外すことで、１の扉の開閉が可能とする。
転倒防止対象１の上部にＸ型を置き、指定位置に合わせ、仮固定したＸ交点のネジ４を滑らないように締めて固定する。
壁８又は柱８の１ヶ所にケーブル紐が付けられるように金属製のフック６を取り付ける。  Ｘ型の前面にあたる２ヶ所の棒７ｂ、７ｃにそれぞれケーブル紐５ａ、５ｂを付け、これを壁柱側８に固定した金属製フック６に接続し、弛みを取る。
真上から見ると、Ｘ型の前部の棒２本３ｂ，３ｃと壁側のフック６との位置関係は２等辺三角形となるようにする。］
【実施例】
【０００７】地震発生し、転倒防止対象１が低部を支点に壁と反対方向に振られるとケーブル紐５ａ、５ｂが張る。
ケーブル紐５ａ，５ｂが張られると反作用で４本の棒７ａ、７ｂ、７ｃ、７ｄが互いに対象物１を強く挟み、ケーブル紐５ａ、５ｂにより転倒防止される。
２等辺三角形を成すケーブル紐紐５ａ，５ｂの配置が、転倒防止対象１の前後のみならず、左右方向の振れに対してもケーブル紐５ａ，５ｂで対象１の転倒防止が出来る。
【産業上の利用可能性】
【０００８】［地震発生し、転倒防止対象１が低部を支点に壁柱８の反対方向に振られるとケーブル紐５ａ，５ｂが張る。ケーブル紐５ａ，５ｂが張られると反作用でＸ型４本の棒７ａ、７ｂ、７ｃ、７ｄが互いに対象物１をより強く挟み込みケーブル紐５ａ，５ｂで転倒を防止する。２等辺三角形を成すケーブル紐５ａ、５ｂの配置が前後左右方向の振れに対しても対象１を倒れないように挟みケーブル紐５ａ，５ｂで転倒防止が出来る］
【図面の簡単な説明】
【０００９】
【図１】「斜め横からの図である。」
【図２】「上部を示した平面図である。」
【符号の説明】
１                      転倒防止対象である置物、家具、電化製品、ラック、仏具等
２ａ、２ｂ              Ｘ型を形成する板
３ａ、３ｂ、３ｃ、３ｄ  棒を取り付ける為の穴
４                      固定用ネジ、ナット、ワッシャー１式
５ａ、５ｂ              ケーブル紐
６                      固定用金属製フック
７ａ、７ｂ、７ｃ、７ｄ  穴３ａ、３ｂ、３ｃ、３ｄに入れる棒
８                      壁、又は柱
【図１】
2008264465.tif 000003
【図２】
2008264465.tif 000004
(57)【要約】【課題】  ゴルフプレー中のグリーン上のボールの位置をマーキングする際に、どのようなファッション時でも素早くマーカーが取り出せるようにしたアクセサリーマーカーを提供する。【解決手段】  グリーンマーカーを、耳飾り、ペンダント、ブレスレット、リング、ブローチの装飾部分の裏面にマグネットをつけて携帯できることを特徴としたアクセサリー式のグリーンマーカー。【選択図】図１
2008264468.tif 000002
【特許請求の範囲】
【請求項１】
ゴルフ用のグリーンマーカーを、耳飾り、ペンダント、ブレスレット、リング、ブローチにおいて、装飾部分の裏面にマグネットをつけて携帯できることを特徴としたアクセサリー式のグリーンマーカー。
【発明の詳細な説明】
【技術分野】
【０００１】  本発明は、ゴルフプレー中、グリーン上のボールの位置をマーキングする際に、グリーンマーカーを、耳飾り、ペンダント、ブレスレット、リング、ブローチの装飾部分の裏面にマグネットをつけて携帯できることを特徴としたアクセサリー式のグリーンマーカーである。
【背景技術】
【０００２】  従来、ゴルフプレー時に、グリーン上のボールの位置をマーキングする際には、プラスチック製又は金属製のコイン状のマーカーをポケットに入れて携帯するか、マグネットのついたクリップ式のマーカーを帽子又はサンバイザーのツバの部分に付けて携帯する方法しかなかった。
しかし、これでは、ポケットからマーカーを探すのに時間がかり、また、マグネットクリップでは、ツバ付の帽子かサンバイザーにしか使えず、ニット帽子や他のデザインの帽子又は帽子を着用しない場合には使えず、ファッション性にも乏しい。
そこで、グリーンマーカーを耳飾り、ペンダント、ブレスレット、リング、ブローチの装飾部分の裏面にマグネット式でセットできれば、どのようなファッション時でも素早くマーカーが取り出せる。
なお、ツバ付帽子やサンバイザーに付けるマグネット式マーカーは発明が知られている。
【発明の開示】
【発明が解決しようとする課題】
【０００３】  そのために、次のような問題点があった。
ゴルフプレー時に、グリーン上のボールの位置をマーキングする際に、ポケットからマーカーを探すのに時間がかかり他のプレーヤーに迷惑を掛けることがあった。
また、従来のマグネットクリップでは、ツバ付の帽子かサンバイザーにしか使えず、ニット帽子や他のデザインの帽子、また帽子を着用しない場合には使えず、ファッション性にも乏しい。
本発明は以上の問題点を解決しようとするものである。
【課題を解決するための手段】
【０００４】  ゴルフ用のグリーンマーカーを、耳飾り、ペンダント、ブレスレット、リング、ブローチにおいて、飾部分（１）の裏面にマグネット（２）をつけて携帯できることを特徴としたアクセサリー式のグリーンマーカー。
【発明の効果】
【０００５】  本発明は、ゴルフプレー中のグリーン上のボールの位置をマーキングする際に、身に付けている耳飾り、ペンダント、ブレスレット、リング、ブローチの装飾部分の裏面にマグネット式でセットできれば、どのようなファッション時でも素早くマーカーが取り出せるので、同伴プレーヤーに迷惑を掛けることも回避できる。
また、アクセサリーとして身に付けることができるので、ツバ付の帽子やサンバイザー以外、どのようなファッションにも対応でき、老若男女問わず利用できる。
【発明を実施するための最良の形態】
【０００６】  以下、本発明の実施の形態を説明する。
（イ）各アクセサリーの装飾部分（１）がグリーンマーカーとなる。
（ロ）装飾部分の裏側がマグネット式（２）になっており、装飾部分が取り外し可能である。
（ハ）装着金具・留金（３）により装着でき、各アクセサリーの機能が備わっている。
（ニ）マグネット部分には、装飾塗料によりコーティングがなされており、グリーンマーカー部分を取り外しても装飾品としてのデザインが十分成立するようになっている。
本発明は、以上の構成よりなっている。
本発明を使用するときは、ゴルフの際、各アクセサリーとして身に付ける。
または、クップ式ブローチについては、ウェアーの襟部分やポケット口に装着し、グリーン上のボールの位置をマーキングする際には、装飾部分をマグネットから外し、グリーン上の正しい位置に置く。
プレー終了後は、装飾部分の裏面をマグネットに付けることにより、元に戻すことができる。
【図面の簡単な説明】
【０００７】
【図１】本発明を耳飾り式に使用した斜視図
【図２】本発明をペンダント式に使用した斜視図
【図３】本発明をブレスレット式に使用した斜視図
【図４】本発明をリング式に使用した斜視図
【図５】本発明をクリップブローチ式に使用した斜視図
【図６】本発明をピンブローチ式に使用した斜視図
【図７】本発明の使用状態を示した斜視図
【符号の説明】
【０００８】  １  各アクセサリーの装飾部
２  装飾塗料によりコーティングされたマグネット
３  各アクセサリー機能を果たすための装着金具・留金
【図１】
2008264468.tif 000003
【図２】
2008264468.tif 000004
【図３】
2008264468.tif 000005
【図４】
2008264468.tif 000006
【図５】
2008264468.tif 000007
【図６】
2008264468.tif 000008
【図７】
2008264468.tif 000009
(57)【要約】      （修正有）【課題】爪化粧品であるマニキュア容器を使用するとき蓋と刷毛が一体となり蓋を閉めた状態で底部に届いているため、内容量がすくなくなると蓋を締めてマニキュアを採り蓋を開けて爪に塗るという手間を省いたマニキュア容器を提供する。【解決手段】蓋4に連結棒5を介して刷毛6を一体化したマニキュア容器1であって、該マニキュア容器1に前記刷毛6を容器に挿入したときに、該刷毛6が届く高さに、マニキュアの残液7を受けることができるように形成された受け部を内接したことを特徴としたマニキュア容器。【選択図】図１
2008264466.tif 000002
【特許請求の範囲】
【請求項１】
蓋に連結棒を介して刷毛を一体化したマニキュア容器であって、該マニキュア容器に、前記刷毛を容器に挿入したときに、該刷毛が届く高さにマニキュアの残液を受けることができるように形成された受け部を内設したことを、特徴とするマニキュア容器。
【発明の詳細な説明】
【技術分野】
【０００１】  本発明は爪化粧品のマニキュア液を刷毛に採るとき容器内の内容量が残り少なくなると蓋と刷毛が一体となり蓋を閉めた状態で底部に届いているため、その都度蓋を閉めて刷毛に採り開けて爪に塗るという手間がかかるのを無くすための爪化粧品のマニキュア容器に関するものである。
【技術背景】
【０００２】  従来、爪化粧品のマニキュア容器を使用したとき、蓋とマニキュア液を爪に塗るための刷毛が一体となり蓋を閉めた状態で底部に届いているため、内容量が残り少なくなると、蓋を閉めて液を採り蓋を開けて爪にぬらなくてはならず、手間がかかっていた。
【発明の開示】
【発明が解決しようとする課題】
【０００３】  そのために次のような課題があった。
（イ）蓋と刷毛が一体で蓋を閉めた状態で底部に届いているため、容器内のマニキュア液が残り少なくなると、使う都度蓋を閉めて刷毛に液を採り開けて爪に塗るという手間がかかる。
（ロ）（イ）の理由により最後まで使わず捨ててしまうこととなり、環境にも悪い。
本発明は以上の問題点を解決しようとするものである。
【問題を解決するための手段】
【０００４】  蓋に連結棒を介して刷毛を一体化したマニキュア容器であって、該マニキュア容器に前記刷毛を容器に挿入したときに、該刷毛が届く高さにマニキュアの残液を受けることができるように形成された受け部を内設したことを特徴とするマニキュア容器。
【発明の効果】
【０００５】  本発明は爪化粧品のマニキュア容器の中の仕切りの受け部に刷毛を通すための穴があるので、蓋を閉めた状態で容器を傾ける又は逆さにするなどでマニキュア液が穴から出て受け部に溜まり蓋を開け閉めせずそれを刷毛で容易に採ることができる。
【発明を実施するための最良の形態】
【０００６】  以下、本発明の形態を説明する。
（イ）マニキュア容器１の半分程の高さに、上部に刷毛６が通る穴３を形成し、上方から下方に向かって拡開するテーパ状の仕切り２を内設する。
本発明は、以上の構成よりなっている。これを使用するときは、蓋を閉めた状態で、容器を傾ける又は逆さにするなどすると、マニキュア液が穴から出て仕切りの受け部分に溜まるのでそれを刷毛で容易に採ることができる。
【図面の簡単な説明】
【０００７】
【図１】  本発明の側面
【図２】  本発明の傾斜図
【符号の説明】
【０００８】  １，マニキュア容器
２，仕切り
３，穴
４，蓋
５，連結棒
６，刷毛
７，残液
【図１】
2008264466.tif 000003
【図２】
2008264466.tif 000004
(57)【要約】【課題】  本発明は車椅子の利用者の血流促進を計ると共に各種血栓の予防及び健康の増進が計れるように工夫した血流促進及び血栓予防機能付車椅子。【解決手段】  車椅子本体と該車椅子本体に設けた足台と車椅子本体に設置台を設けて固定した電動モーターとバッテリーと充電器と該電動モーターの回転軸に変心カムを取り付け手段を介して取り付け、該変心カムの他端の一方を足台指側の先端に取り付け手段を介して取り付け、該足台踵側の後端を該車椅子本体のフレームに連結し、該車椅子の利用者の足を該足台に固定する手段を設けたことを特徴とした血流促進及び血栓予防機能付車椅子。【選択図】図１
2008264463.tif 000002
【特許請求の範囲】
【請求項１】
車椅子本体と該車椅子本体に設けた足台と該車椅子本体に設置台を設けて固定した電動モーターとバッテリーと充電器と該電動モーターの回転軸に変心カムを取り付け手段を介して取り付け、該変心カムの他端の一方を足台指側の先端に取り付け手段を介して取り付け、該足台踵側の後端を該車椅子本体のフレームに連結し、該車椅子の利用者の足を該足台に固定する手段を設けたことを特徴とした血流促進及び血栓予防機能付車椅子。
【発明の詳細な説明】
【技術分野】
【０００１】  本発明は、車椅子の利用者の血流促進を計ると共に各種血栓予防及び健康の増進が計れるように工夫した血流促進及び血栓予防機能付車椅子に関するものである。
【背景技術】
【０００２】  従来の車椅子は、歩行が困難な方の移動のみを目的とした構造になっていた。
【発明が解決しようとする課題】
【０００３】  従来の車椅子は、車椅子に乗車しているときに、血流の促進と各種血栓の予防及び健康の増進が計れなかった。
【課題を解決するための手段】
【０００４】  車椅子本体（１）に電動モーター（２）と該電動モーターの電源とするバッテリー（５）と該バッテリーの充電器（６）を該車椅子本体に設置する堅牢な台（１２）を設けて固定し、該電動モーターの回転軸の両端に変心カム（４）を軸設し、該変心カムの他端の一方は足台指側の先端に取り付ける。
足台踵側（７）の後端は車椅子本体のフレームに足台先端（９）が変心カムの回転作用により上下運動する起点となるように連結する。
該車椅子の利用者の足は足台に設けられた固定帯（１０）で固定し、該電動モーターを駆動すると足台踵はフレームに連結されているため、変心カムの回転作用により足台先端（９）のみが上下し、車椅子の利用者の足も連動する。
この一連の作用により利用者のふくらはぎ（１１）は伸縮し、該ふくらはぎ内血管は圧縮と減圧をくり返すポンプ作用により血流の促進が計れ、この効能により血栓の予防も計れる。
【発明の効果】
【０００５】  本発明の車椅子は血流促進及び血栓予防機能付車椅子で、人為的に脚に外圧等を加えるものでなく、下半身が不自由で歩行等が困難な方でも、健常者が日常歩行する際と同様な脚機能が持つ血管のポンプ作用により血流の促進が自然と計れ、この効能により血栓の予防も計れるものである。
また、本発明の車椅子は屋内外で血流の促進が計れるが、屋外での使用が天候や気温等の影響により不適なときでも、血流促進機能が電動のため、電源の入、切、により、屋内停車時でも必要に応じ適宜停車位置で使用でき、利用者の健康が配慮できると共に介護人の労力の軽減も計れ、大変便利で効果的である。
さらに充電器（６）の利用により、ＡＣ１００Ｖの電気をバッテリー（５）へ充電して、利用できるので大変便利である。
【本発明を実施するための最良の形態】
【０００６】  以下、本発明の実施の形態について説明する。
本発明は車椅子本体（１）に電動モーター（２）と該電動モーターの電源とするバッテリー（５）と充電器（６）を本体に設置する堅牢な台（１２）と変心カム（４）と足台と車椅子の利用者の足を固定する固定帯（１０）より構成される、
電動モーターの回転軸（３）の両端に変心カム（４）を軸設する。
変心カムの他端の一方は足台指側の先端に連結する。
足台踵側の後端は足台の先端が変心カムの回転作用により上下運動する起点となる様車椅子本体のフレームに連結する。
車椅子の利用者の足は、足台に設置された固定帯（１０）で固定する。
この機構により電動モーター（２）を駆動すると変心カム（４）の回転作用で足台の先端のみが上下すると共に利用者の足も足台と連動することから利用者のふくらはぎ（１１）は伸縮し、該ふくらはぎ内血管は圧縮と減圧をくり返すポンプ作用により脚の血流が促進される。
この効能により各種血栓の予防も計れる。
車椅子本体と該車椅子に設けた足台と該足台踵側の後端を車椅子本体のフレームに足台指側の先端が変心カムの回転作用により上下運動をする起点となるよう連結し、該電動モーターの回転軸の両端に変心カムを取り付け、他端一方は該足台指側の先端に連結する。
車椅子の利用者の足は該足台に設けられた固定帯で固定して電動モーターを駆動すると変心カムの回転作用で足台先端は上下運動を起す。
そのため、車椅子の利用者の足も連動上下するため、ふくらはぎ内血管は圧縮と減圧をくり返すポンプ作用により血流の促進が計れる。
この作用は各種血栓の予防につながる効能がある。
【図面の簡単な説明】
【０００７】
【図１】  本発明の使用状態を示した説明図
【図２】  本発明車椅子の正面の方向から見た説明図
【符号の説明】
【０００８】      １  車椅子本体
２  電動モーター
３  電動モーターの回転軸
４  変心カム
５  バッテリー
６  充電器
７  足台踵側
８  フレーム
９  足台先端
１０  固定帯
１１  ふくらはぎ
１２  電動モーターとバッテリーと充電器の設置台
【図１】
2008264463.tif 000003
【図２】
2008264463.tif 000004